(57)【特許請求の範囲】
【請求項１】
鍵盤を押し下げる動作に連動して上方へ押し上げ動作をするジャックと、該ジャックの押し上げ動作によって弦側である後方に回動するハンマーバットと、該ハンマーバットに支持されたハンマーシャンクと、該ハンマーシャンクの先端に設けられ弦を叩くハンマーと、ダンパーワイヤーの動きを制動するダンパーストップレールと、前記ハンマーバットの押し上げ面に設けられたハンマーバットスキンと、打弦後にハンマーを前方に付勢するためのハンマーバットスプリングと、前記ジャックを押鍵時とは逆の復帰方向に付勢するジャックスプリングと、押鍵後の前記ジャックの傾きを規制すると共に前記ジャックの運動範囲を制御するジャックストップレールとを有するアップライトピアノのアクション機構において、前記ジャックストップレールの後面に沿って、弾性部材の内部に貫通孔を設けた突出部を形成することにより抵抗力及び原状復帰力に係る弾性力を発揮するようにした長尺のゴム系クッション部材を設け、このクッション部材に前記ハンマーバットスキンから脱進する直後の前記ジャックが当たることによって前記ジャックの戻りを弾性的に付勢するようにしたことを特徴とするアップライトピアノのアクション機構。
【請求項２】
前記ハンマーバットスプリングとして２本の弾性線材を使用し、バットフレンジコードに捻じれ部を設けることによって、該捻じれ部の先の輪状部と該捻じれ部とに前記２本のハンマーバットスプリングの夫々のフック部を掛止するようにしたことを特徴とする請求項１記載のアップライトピアノのアクション機構。
【請求項３】
前記ダンパーストップレールの前面と後面に沿って、弾性部材の内部に貫通孔を設けた突出部を形成することにより抵抗力及び原状復帰力に係る弾性力を発揮するようにした長尺のゴム系クッション部材を設け、このクッション部材に打弦時の前記ハンマーシャンクと前記ダンパーワイヤーが当たることによって前記ハンマーシャンクと前記ダンパーワイヤーの動きに抵抗を与えると共に前記ハンマーシャンクと前記ダンパーワイヤーの復帰方向への弾性力を付勢するようにしたことを特徴とする請求項１又は２記載のアップライトピアノのアクション機構。
【請求項４】
前記ジャックストップレールの後面及び前記ダンパーストップレールの前面と後面に沿って付設したゴム系クッション部材として、ＥＰＤＭ（エチレンプロピレンジエンゴム）を使用することを特徴とする請求項１、２又は３記載のアップライトピアノのアクション機構。
【発明の詳細な説明】
【技術分野】
【０００１】
本発明は、アップライトピアノのアクション機構に関するものであり、鍵盤を連続的に押し下げる際の同音連打性、ハーフタッチ、さらにはダイナミックレンジ等に係る音質を改善するようにしたアップライトピアノのアクション機構に関する。なお、以下の説明において、ピアノを演奏する側から見て、近い側を前方、遠い側を後方と称することにする。
【背景技術】
【０００２】
従来から周知のグランドピアノでは、弦は水平に張られ、この弦を後方へ回動するハンマーが叩いた後、ハンマーは自重で元の位置に速やかに戻ることが可能である。また、グランドピアノは、ジャックとこのジャックをハンマーの下方に引き戻すレペティションレバーがエスケープするダブルエスケープメントアクションを用いている。このため、グランドピアノは、素早い連打性が可能とされている。
【０００３】
これに対してアップライトピアノでは、弦は垂直に張られ、鍵盤を押し下げる動作に連動してジャックがハンマーバットを押し上げると、ハンマーバットに支持されたハンマーが弦の方向へ回動し、このハンマーが垂直に張られた弦を叩くように構成されている。従って、アップライトピアノでは、グランドピアノのようにハンマーの自重が作用し難いため、ハンマーをバネ力で強制的に元の位置に戻すことによって次の押鍵に備える構成としている。このため、アップライトピアノは、構造が複雑であるうえ、連打性の点ではグランドピアノに劣るという欠点がある。
【０００４】
しかしながら、縦型のアップライトピアノは、横型のグランドピアノに対してコンパクトであり、価格の面でもグランドピアノに比較して安価である等の利点を有するため、アップライトピアノの欠点である連打性を改善し、さらにはグランドピアノのような押鍵時のタッチ感や音質面でのダイナミックレンジを実現すべく、従来から様々な改良がなされている。
【０００５】
そこで、従来の技術として、特許文献１を参照する。この文献には、ハンマーを後方へ回動して打弦を行った後、ハンマーを前方へ戻すために、ハンマーを支持するハンマーバットを前方へ付勢するためのハンマーバットスプリングの付勢力を強化するようにしたものである。そのため、この文献では、ハンマーバットスプリングを支持するハンマーバットフレンジコードの下部にストッパーを設けた構成としている。しかしながら、この文献では、既成の部品のほかに、ストッパーを別途設ける必要があるため、ハンマーバットスプリングの構造がより複雑になるという不都合が生じる。
【０００６】
なお、本発明においては、アップライトピアノの改良に当たり、新規に製造するアップライトピアノのみならず、既存のアップライトピアノに対しても、ピアノ調律師等による取付け作業等を可能にするため、複雑な構成のアップライトピアノのアクション機構をより複雑にするような構造ではなく、簡単に改良し得る構造とすることが望ましい。
【０００７】
また、特許文献２では、グランドピアノのような質量感に富むタッチ感を実現するために、アップライトピアノのアクション機構を構成する部材であるハンマーバット、揺動シャンク（ハンマーシャンク）、揺動部材（ハンマー）、キャッチャー、及びキャッチャーシャンクのいずれかの動作部材に錘を装着した構成としている。このような構成において、夫々の錘は、押鍵時の動作部材の回動方向とは反対方向へ荷重を作用させるように取り付けてあり、これによって押鍵時のタッチ感をグランドピアノ並みにするようにしている。
【０００８】
しかしながら、このタッチ感は、演奏者の手指に感じる感覚である。より重要なことは、アップライトピアノの周知の欠点であるハーフタッチの際に音が出ない現象を改善すること、即ち鍵盤を押し下げた後、これを非押鍵時の高さに戻すことなく途中の高さで再び鍵盤を押し下げたときでも、ピアニシモのような最弱音の音出しを可能とするように改善することが望まれる。
【先行技術文献】
【特許文献】
【０００９】
【特許文献１】特開２００８−９０１６９号公報
【特許文献２】特開２０１１−２０３４７７号公報
【発明の概要】
【発明が解決しようとする課題】
【００１０】
上記のアップライトピアノでは、押鍵の後、次の音を出すためには、鍵盤を完全に元の高さに戻す必要がある。しかしながら、従来のアップライトピアノは、連打するとジャックがハンマーバットの下方に戻るよりもハンマーバットのほうが早く復帰し、ジャックの戻りを妨げるため、次の押鍵において、速いタッチ又はハーフタッチの場合、ジャックがハンマーバットを押し上げずに空打することになる。
【００１１】
このため、アップライトピアノでも鍵盤の連打を可能にし、ハーフタッチによってピアニシモのような最弱音の音出しを可能にするには、ジャックの戻りを迅速に行う必要がある。しかしながら、ジャックの戻りを助力するために、例えば、ジャックスプリングだけを改良したのでは、他の部位の動作にタイムラグが生じる等の不都合があるため、ジャックの戻り動作に関連するアクション機構の各部を全般的に改良する必要がある。
【００１２】
本発明は、上記のような事情に鑑みてなされたものであり、アップライトピアノにおける鍵盤を連続的に押し下げる際の同音連打性、ピアニシモ演奏、ハーフタッチ演奏、ダンパー使用時における連打性やハーフタッチ等のあらゆる押鍵に対応し、さらにはダイナミックレンジ等に係る音質の改善を実現したアップライトピアノのアクション機構を提供することを目的とする。
【課題を解決するための手段】
【００１３】
上記の目的を解決するために、本発明の請求項１におけるアップライトピアノのアクション機構は、鍵盤を押し下げる動作に連動して上方へ押し上げ動作をするジャックと、該ジャックの押し上げ動作によって弦側である後方に回動するハンマーバットと、該ハンマーバットに支持されたハンマーシャンクと、該ハンマーシャンクの先端に設けられ弦を叩くハンマーと、ダンパーワイヤーの動きを制動するダンパーストップレールと、前記ハンマーバットの押し上げ面に設けられたハンマーバットスキンと、打弦後にハンマーを前方に付勢するためのハンマーバットスプリングと、前記ジャックを押鍵時とは逆の復帰方向に付勢するジャックスプリングと、押鍵後の前記ジャックの傾きを規制すると共に前記ジャックの運動範囲を制御するジャックストップレールとを有するアップライトピアノのアクション機構において、前記ジャックストップレールの後面に沿って、弾性部材の内部に貫通孔を設けた突出部を形成することにより抵抗力及び原状復帰力に係る弾性力を発揮するようにした長尺のゴム系クッション部材を設け、このクッション部材に前記ハンマーバットスキンから脱進する直後の前記ジャックが当たることによって前記ジャックの戻りを弾性的に付勢するようにしたことを特徴とする。
【００１４】
また、本発明の請求項２におけるアップライトピアノのアクション機構は、請求項１において、前記ハンマーバットスプリングとして２本の弾性線材を使用し、バットフレンジコードに捻じれ部を設けることによって、該捻じれ部の先の輪状部と該捻じれ部とに前記２本のハンマーバットスプリングの夫々のフック部を掛止するようにしたことを特徴とする。
【００１５】
さらに、本発明の請求項３におけるアップライトピアノのアクション機構は、請求項１又は２において、前記ダンパーストップレールの前面と後面に沿って、弾性部材の内部に貫通孔を設けた突出部を形成することにより抵抗力及び原状復帰力に係る弾性力を発揮するようにした長尺のゴム系クッション部材を設け、このクッション部材に打弦時の前記ハンマーシャンクと前記ダンパーワイヤーが当たることによって前記ハンマーシャンクと前記ダンパーワイヤーの動きに抵抗を与えると共に前記ハンマーシャンクと前記ダンパーワイヤーの復帰方向への弾性力を付勢するようにしたことを特徴とする。
また、本発明の請求項４におけるアップライトピアノのアクション機構は、請求項１、２又は３において、前記ジャックストップレールの後面及び前記ダンパーストップレールの前面と後面に沿って付設したゴム系クッション部材として、ＥＰＤＭ（エチレンプロピレンジエンゴム）を使用することを特徴とする。
【発明の効果】
【００１６】
本発明によれば、ハンマーバットスプリングの弾性力を強化することにより、ジャックによる次の押し上げ態勢にハンマーバットを迅速に復帰させることが可能となり、演奏時の連打数の増加と、ハーフタッチ（特に、ピアニシモ演奏とダンパー使用時の同音連打性とハーフタッチ）の達成に有益となる。
【００１７】
また、ハンマーバットスキンの素材として、本発明のように潤滑性に優れた材料に加工するか、又は潤滑性に優れた合成皮革を使用することにより、ハンマーバットの押上げ面からのジャックの抜けが良くなる結果、ハンマーバットの動きの反応が良くなる。これにより、ジャックによる次の押し上げ態勢に迅速に復帰させるための戻り速度を向上することができ、上記のような押鍵時のタッチ感の向上と共に、演奏時の同音連打数の増加と、ハーフタッチ、特にピアニシモ演奏の同音連打性、ハーフタッチの達成に有益となる。
【００１８】
また、ジャックスプリングの弾性力を強化することにより、ジャックの戻りが迅速になるため、ジャックはハンマーバットの押上げ面の下部に速やかに待機した状態となり、同音連打性、ハーフタッチの実現に有益となる。
【００１９】
さらに、ピアニシモやハーフタッチでの押鍵時には、鍵盤を最下部まで押し下げた状態で、バットスキンから脱進する直後のジャックがジャックストップレールの後面に沿って付設したクッション部材に当たることによって、このクッション部材の抵抗により、ジャックの運動範囲をバットスキンから脱進する直後の範囲に規制することができ、これによって連打性を確実にすると共に、繊細な音色を表現することが可能となる。
【００２０】
また、フォルテシモやオールタッチでの押鍵時には、バットスキンから脱進する直後のジャックがジャックストップレールの後面に沿って付設したクッション部材に当たることによってジャックの戻りを弾性的に付勢することにより、鍵盤の押し下げを緩めると、クッション部材の原状復帰力と弾性力により押鍵後のジャックを脱進直後の位置（ハンマーバットの押上面の下部）に迅速に戻すため、ジャックがハンマーバットの押上面の下部に迅速に復帰することができ、打弦の連打性を可能にすると共に、押鍵機能の精度を高め、ダイナミックレンジの演奏が可能となる。
【００２１】
さらに、ダンパーストップレールの前面と後面に沿って付設したクッション部材に打弦時のハンマーシャンクが当たることによってハンマーシャンクの動きに抵抗を与えると共にハンマーシャンクの復帰方向への弾性力を付勢することにより、ピアニシモやハーフタッチで、鍵盤を最下部まで押し下げた状態において、ハンマーシャンクの動きに抵抗を与えることにより、アップライトピアノでも、グランドピアノ特有のアフタータッチを再現することが可能となる。
【００２２】
また、打弦時のハンマーシャンクが当たった際のクッション部材の弾性力によって、ハンマーシャンクは復帰方向へ弾性的に付勢されるため、ハンマーが敏速且つ繊細な動きとなるように補助することが可能となる。
【００２３】
なお、上記のアフタータッチは、グランドピアノの構造において、鍵盤を弾く際の途中で多少の引っ掛かりが感じられるタッチ感を云うものであり、従来のアップライトピアノや電子ピアノにおいて、このアフタータッチは全く感じられないものであった。
【００２４】
しかしながら、本発明のダンパーストップレールの前面と後面に沿って付設したクッション部材は、弾性部材の内部に貫通孔を設けた突出部を有することによって抵抗力及び原状復帰力に係る弾性力を発揮し、あらゆる押鍵に対しても柔軟に対応することができるクッション部材である。従って、打弦時のハンマーシャンクがクッション部材に当たった初期の段階では弱い押圧力でクッション部材の貫通孔を設けた突出部を押圧し、この突出部が押圧された後期の状態では強い弾性力を発揮して鍵盤の押し下げを弾発することによって、上記のアフタータッチを再現することが可能となる。
【００２５】
従って、上記の本発明によれば、ジャックの戻り速度を素早くするための相乗的な改善が可能となり、同音連打性をグランドピアノと同等か、又はそれ以上にすることが可能となる。
【００２６】
さらに、押鍵後の同一鍵盤を再び押し下げる際のハーフタッチをグランドピアノと同等か、又はそれ以上のハーフタッチにすることが可能であり、音質もまた、ダイナミックレンジの広がり等の向上が可能となる。
【００２７】
また、本発明によれば、既存の部材をそのまま利用して、各部の改良が可能となるため、アップライトピアノを新規に製造する際のみならず、既存のピアノの各部の修理を兼ねて、中古のピアノやユーザーが使用しているピアノを本発明によって容易に改善することが可能となる。
【図面の簡単な説明】
【００２８】
【図１】本発明の実施例におけるアップライトピアノのアクション機構を示す側面図である。
【図２】本発明の実施例におけるアップライトピアノのアクション機構に関する部分拡大図である。
【図３】本発明の実施例におけるアップライトピアノのアクション機構において、(ａ)はハンマーバットスプリングの全体図、(ｂ)及び(ｃ)はハンマーバットスプリングを取り付けたハンマーバットの後面図、(ｄ)及び(ｅ)はバットフレンジコードを取り付けたハンマーバットフレンジの前面図、(ｆ)は(ｃ)の構成を側面から見た図である。
【図４】(ａ)(ｂ)は、本発明の実施例におけるアップライトピアノのアクション機構におけるハンマーバットのハンマーバットスプリングとハンマーバットスキン等を説明するための部分側面図であり、(ｃ)〜(ｆ)は、ダンパーストップレールの前面と後面に沿って付設したクッション部材について説明するための斜視図及び側面図である。
【図５】(ａ)(ｂ)は、本発明の実施例におけるアップライトピアノのアクション機構におけるハンマーバットスキンとジャックとの関係を説明するための部分側面図である。
【図６】（ａ）〜(ｅ)は、本発明の実施例におけるアップライトピアノのアクション機構におけるジャックストップレール及びクッション部材を説明するための部分側面図である。
【発明を実施するための形態】
【００２９】
本発明の実施形態について図面を参照しながら説明する。
【実施例】
【００３０】
まず、本実施例のアップライトピアノのアクション機構に係る全体構成について説明する。図１において、演奏者の側に設けられた鍵盤１を構成する白鍵１ａは、以前は象牙が使用され、今日ではメタクリル樹脂（商品名アクリペット又はアクリル）によって構成されている。また、１オクターブを全、全、半、全、全、全、半（全＝全音階、半＝半音階）の規則に基づいて鍵盤１を配置し、白鍵１ａが８個、黒鍵１ｂが５個に割り当てられている。この黒鍵１ｂの材質は、以前は黒檀が使用され、現在では一般的にフェノール樹脂が多く使用されている。
【００３１】
また、白鍵１ａの先端近傍の下部に形成された凹部にはフロントブッシングクロス２ａが設けられ、押鍵時に、フロントブッシングクロス２ａがその下部に設けられたフロントピン２ｂに当たることによって、鍵盤１の左右位置を安定させるようにしている。なお、フロントピン２ｂは、別名オーバルピンと称せられているように楕円形に形成され、接触面積を大きくさせることによってフロントブッシングクロス２ａの摩擦を減じるようにしている。
【００３２】
また、鍵盤１の下部にはフロントパンチングクロス２ｃが取り付けられ、フロントピン２ｂに当たる際に、鍵盤１の押鍵時の雑音の発生を防止するようにしている。なお、鍵盤筬２ｄは鍵盤１を載せる土台である。また、鍵盤１の後端の下部に設けられたバックレールクロス１ｃは、鍵盤の高さ、深さの位置を規制すると共に、鍵盤１の戻り時の雑音を防止するクッション材として機能する。
【００３３】
さらに、鍵盤１の略中央には鍵盤座板中４が設けられ、この鍵盤座板中４には台座４ａに固定されたバランスピン４ｂを通すバランスホール（不図示）が形成され、このバランスホール内に、通常、赤い色のバランスブッシングクロス４ｃがバランスピン４ｂを挟んだ状態で取付けられ、バランスブッシングクロス４ｃの適度な隙間と滑りにより、鍵盤１の動きを安定させるようにしている。なお、各鍵盤１は台座４ａの上部に設けられたバランスパンチングクロス４ｄに支持され、押鍵時の雑音を防止する緩衝材として機能すると共に、鍵盤１の高さ調整にも重要となる。
【００３４】
また、鍵盤１の後端上部には鍵盤座板後１ｄという木製の土台が設けられ、その上部に支持されたポストワイヤー５ａを介してキャプスタンボタン５が固定されている。このキャプスタンボタン５は、図２に示すように、上部が丸く形成された縦長２センチ程度の部品であり、鍵盤１の上方への運動を上部のアクション機構に伝える役割を有する。このキャプスタンボタン５を上下方向に調整することにより、鍵盤１の動きで生じた力を損失なく伝えるようにしている。
【００３５】
また、図２に示すように、キャプスタンボタン５の上方において、ウィペン６の下部に固定されたウィペンヒール６ａが設けられ、ウィペンヒール６ａの下部又は凹みに設けられたウィペンヒールクロス６ｂがキャプスタンボタン５の上端で持ち上げられる。この際、ウィペンヒールクロス６ｂはウィペンヒール６ａとキャプスタンボタン５との間の雑音を防止する緩衝材として機能する。
【００３６】
また、ウィペン６の上部の前方にはダンパースプーン１８が取り付けられている。このダンパースプーン１８はダンパーアッセンブリ８を可動させる機能を有し、押鍵の際には後方に可動して、弦１９に接しているダンパーレバー８ａを弦１９から離すことにより、ダンパーヘッド１１のダンパーフェルト１１ｃが弦１９から離れ、弦１９が振動できる状態となる。なお、ダンパースプーン１８を前後に微調整することで、ダンパーレバー８ａに対するダンパースプーン１８の係り具合が変化し、鍵盤１のタッチに変化が生じることになる。一般的に、ダンパースプーン１８の係り具合が早くなればタッチが重く感じられ、遅くなればタッチが軽快に感じられるものとなる。
【００３７】
上記のダンパーレバー８ａは、図２に示すように、センターレール１４の上端に固定されたダンパーフレンジ８ｂにダンパーフレンジセンターピン８ｃで回動可能に取り付けられ、ダンパーワイヤー１１ｄを介してその上方に取り付けられたダンパーウッド１１ａの後部のダンパーブロック１１ｂに固定されている。また、ダンパーレバー８ａにはダンパースプリング８ｄが設けられ、このダンパースプリング８ｄによってダンパーウッド１１ａの後部に設けられたダンパーフェルト１１ｃを弦１９側に押圧するようにしている。なお、ダンパースプリング８ｄとダンパーレバー８ａとの接点部分の潤滑が悪くなると雑音が生じる。
【００３８】
また、ダンパーワイヤー１１ｄの前方には、ダンパーストップレール１６が設けられている。このダンパーストップレール１６は、ダンパーワイヤー１１ｄの動きを規制するものである。このような構成において、ダンパースプーン１８から伝えられた動きにより、弦１９から離れるダンパーワイヤー１１ｄのクッションとしても作用する。
【００３９】
一方、ウィペン６の後方の上部には、センターレール１４に固定したウィペンフレンジ１４ａがウィペンフレンジセンターピン１４ｂによって回動可能に取り付けられている。また、センターレール１４の上方の後部にはハンマーバットフレンジ１５がハンマーバットフレンジスクリュー１５aにより固定され、ハンマーバットフレンジ１５の上部にはハンマーバット３がハンマーバットフレンジセンターピン１５ｂで回動可能に取り付けられている。なお、図３(ｄ)(ｅ)(ｆ)に示すように、ハンマーバットフレンジセンターピン１５ｂはハンマーバット３に設けられたピン溝３ｃに挿着されると共に、ハンマーバット３の後面に固定ネジ（バットプレートスクリュー）１２ａで螺締した押え金具（バットプレート）１２で固定されている。
【００４０】
さらに、図３(ｆ)に示すように、ハンマーバット３の後部に取り付けられたハンマーバットスプリング７は、その先端に形成されたフック部７aがハンマーバットフレンジ１５に取り付けられたハンマーバットフレンジコード１０に掛止されることによって張力を保持するようにしている。なお、図３(ｄ)(ｅ)(ｆ)に示すように、ハンマーバットフレンジ１５の前面には２本の取付溝１５ｃが形成され、各取付溝１５ｃにハンマーバットフレンジコード１０の各端部が接着されることにより取り付けられている。
【００４１】
また、ウィペン６の途中の上部にはジャックフレンジ６ｃが固定され、このジャックフレンジ６ｃにジャックフレンジセンターピン６ｄを介してジャック２０が回動可能に取り付けられている。このジャック２０は、その上端でハンマーバット３を押上げる働きをする。また、ジャック２０の下端前部にはジャックテイル２０ａが前方へ突出状に形成され、ジャックテイル２０ａの下面に設けられた凸部２０ｂにジャックスプリング２１の上部が嵌められると共にウィペン６の上面に形成した凹部６ｅで支持され、押鍵時のジャック２０の動きを付勢するように作用する。
【００４２】
また、ハンマーバット３の前側の下部には、図３（f）に示すハンマーバットフェルト２２ａと、その前側にはハンマーバットスキン２２が設けられ、ハンマーバットフェルト２２ａはジャック２０の運動時の雑音を防止する。また、ハンマーバットスキン２２は、これに当接するジャック２０の運動を円滑にするように滑りの良い皮革で形成されている。
【００４３】
また、図２に示すように、上記のハンマーバット３の上部にはハンマー２３が取り付けられている。このハンマー２３は、ハンマー２３の腕に相当するハンマーシャンク２３ａと、ハンマー２３の土台部分であるハンマーウッド２３ｂと、ミュージックワイヤーとも称せられる弦１９を叩いて音を出すハンマーフェルト２３ｃとから構成されている。
【００４４】
また、ハンマーレール２６は、打弦後に復帰したハンマー２３を安定させるためにアクションブラケット２８に取り付けられ、ハンマーレール２６の後部には緩衝材としてハンマーフェルト２６ａが固定され、ハンマーシャンク２３ａがハンマーレール２６側に復帰する際の衝突音の発生を防止するようにしている。
【００４５】
次に、図２に示すように、ハンマーバット３の前側に取り付けられたキャッチャーシャンク２４ａの先端には前側にキャッチャースキン２４ｂが接着された木製によるキャッチャー２４が固定されている。一方、キャッチャー２４の前方には、ウィペン６に取り付けられたバックチェックワイヤー２５ａを介してバックチェック２５が設けられている。このバックチェック２５の後面にはバックチェックフェルト２５ｂが設けられている。また、キャッチャー２４に取り付けられた帯状のブライドルテープ２４ｃの端部にはブライドルチップ２４ｄが設けられ、このブライドルチップ２４ｄはウィペン６から上方に立設されたブライドルワイヤー２４ｅの先端に係止されている。
【００４６】
このような構成により、ハンマー２３の打弦後において、キャッチャー２４がキャッチャースキン２４ｂを介して、バックチェック２５のバックチェックフェルト２５ｂで止められることにより、打弦後のハンマー２３の動きが制止される。また、キャッチャー２４を止める前後の位置により、ハンマー２３が弦１２を叩いてから止まる位置が決定される。そして、この時、キャッチャースキン２４ｂは衝撃を吸収し、バックチェックフェルト２５ｂもまた衝撃を吸収して雑音の発生を防止する。
【００４７】
なお、アップライトピアノは、その構造上、アクション機構が縦置きになっているため、グランドピアノのように自重で元の位置に戻ることが困難であり、押鍵後のハンマー機構を元の位置に素早く戻すため、上記のブライドルテープ等の補助的な部品が必要とされている。
【００４８】
また、上記のセンターレール１４の途中の後部にはダンパーロッド２９が固定され、ダンパーロッド２９は不図示のダンパーペダルと連結している。ダンパーペダルは、一般のピアノに設けられた３本のペダルのうちで最も右側の長音ペダルであり、ダンパーペダルを踏むことによってダンパーが一斉に動き、押鍵後の音が延びるように作用する。また、ダンパーペダルを離すとダンパーが戻り、延びていた音は止まる。なお、ダンパーレバーの下部にはダンパースプーン１８に当接するダンパーレバークロス８ｅが貼着され、ダンパースプーン１８との摩擦を防止することによって雑音の発生を阻止するようにしている。
【００４９】
一方、センターレール１４の途中の前方側にはレギュレーティングスクリュー２７が固定されている。このレギュレーティングスクリュー２７は、専用工具で左右の方向に回すことが可能であり、ジャック２０の突き上げ角度を調整することが可能である。具体的には、左方向反時計回りに回すとレギュレーティングスクリュー２７に取り付けられたレギュレーティングボタン２７ａが上方へ移動し、ジャックテイル２０ａと接触するまでの時間が延びることにより、ハンマーバット３からジャック２０が脱進する時間が延び、ハンマー２３の脱進が弦１９に接近することで、ハンマー２３に伝わる時間が長くなる結果、音量が増大すると共に、演奏時におけるピアニシモのコントロールが容易となる。反対に、レギュレーティングスクリュー２７を右方向時計回りに回すと、レギュレーティングボタン２７ａが下方へ移動し、上記と逆の効果となる。
【００５０】
このような構成により、ジャック２０に設けられたジャックテイル２０ａの動きを制御し、押鍵によって加えられたジャック２０によるハンマー２３の動きを変化させることが可能となる。なお、このレギュレーティングスクリュー２７の調整は接近調整と呼ばれ、アップライトピアノのアクション調整のなかでも重要である。このため、ジャックテイル２０ａが上昇した際、レギュレーティングボタン２７ａの下端に設けられたクロスの中心でジャックテイル２０ａを確実にくわえ込む位置が重要となる。また、押鍵時には、ジャックテイル２０ａが上方へ持ち上がり、レギュレーティングボタン２７ａに当たることによってハンマー２３が弦１９に接近し、弦１９に接触する前のハンマー２３の脱進位置が決定する。ハンマー２３が弦１９に対して近すぎると止音し、離れすぎるとフォルテ、特にピアニシモの表現が悪くなる。
【００５１】
なお、上記のアクション機構は、アクションボルトナット２８ａでピアノ本体側に取付られたアクションブラケット２８により所定の高さに保持されている。
【００５２】
上記の構造を有するアップライトのアクション機構において、本実施例では、ハンマーバットスプリング７の弾性力を強化するために、図３に示すように、１本のハンマーバットスプリング７の弾性力を強化するか、又は２本のハンマーバットスプリング７を使用した構成としている。
【００５３】
即ち、１本のハンマーバットスプリング７を使用する場合、図３（ａ）に示すように、従来のハンマーバットスプリング７よりも径の太い燐青銅等による弾性線材を用いて、一端にフック部７ａを設け、他端に線材を２〜３巻きした巻回部７ｂを設け、この巻回部７ｂから直線の張出し部７ｃを張り出したハンマーバットスプリング７を構成する。
【００５４】
次に、１本のハンマーバットスプリング７を取り付けるには、図３（ｂ）又は図４(ａ)に示すように、ハンマーバットスプリング７の巻回部７ｂをハンマーバット３に設けたフェルト製等によるハンマーバットスプリングピンコード３ａにて取付け、張出し部７ｃをハンマーバット３の背部３ｂに支持させ、フック部７ａをハンマーバットフレンジコード１０に掛止する。このような構成により、従来のハンマーバットスプリング７よりも弾性力を強化させることが可能となる。
【００５５】
また、図３(ｃ)又は(ｆ)に示すように、２本のハンマーバットスプリング７を使用する場合、燐青銅等による弾性線材の径は従来と同様か、又は調整された径の弾性線材を用いて、図３（ａ）に示すように、一端にフック部７ａと、他端に巻回部７ｂと張出し部７ｃとを形成する。
【００５６】
なお、図３(ｃ)、(ｆ)又は図４(ｂ)においては、２本のハンマーバットスプリング７、７の夫々を区別するために、第１のハンマーバットスプリング７(1)，第２のハンマーバットスプリング７(2)とし、第１のハンマーバットスプリング７(1)に関係する各部としてフック部７ａ(1)、第２のハンマーバットスプリング７(2)に関係する各部としてフック部７ａ(2)というように、数字又はアルファベットの後に(1)又は(2)を付すことにする。
【００５７】
図３(ｆ)又は図４(ｂ)に示すように、第１のハンマーバットスプリング７(1)の巻回部７ｂ(1)をハンマーバット３のハンマーバットスプリングピンコード３aにて取付け、張出し部７ｃ(1)をハンマーバット３の背部３ｂに支持させる。また、第２のハンマーバットスプリング７(2)の張出し部７ｃ(2)を第１のハンマーバットスプリング７(1)の巻回部７ｂ(1)の上方から巻回部７ｂ(1)とハンマーバット３の背面部３ｂとの間に差し込むことによって、第１のハンマーバットスプリング７(1)の巻回部７ｂ(1)に引っ掛けた状態にする。こうすることによって、第２のハンマーバットスプリング７(2)を別途用意するだけで、容易に取り付けることが可能となる。なお、このとき、第１のハンマーバットスプリング７(1)の張出し部７ｃ(1)、第２のハンマーバットスプリング７(2)の張出し部７ｃ(2)をハンマーバット３の背部３ｂに接着することで固定するとよい。
【００５８】
さらに、図３（ｄ）の通常のハンマーバットフレンジコード１０の先端に、図３（ｅ）に示すように捻じれ部１０ａを設け、図３(ｃ)又は図３(ｆ)に示すように、捻じれ部１０ａの先に形成された輪状部１０ｂと捻じれ部１０aの夫々に２本のハンマーバットスプリング７(1)、７(2)のフック部７a(1)、７ａ(2)を掛止する。この場合、第２のハンマーバットスプリング７(2)を第１のハンマーバットスプリング７(1)と同様の長さに形成すると共に、ハンマーバットフレンジコード１０を少しだけ長く形成し、図３（ｅ）に示す捻じれ部１０ａに第１のハンマーバットスプリング７(1)のフック部７ａ(1)を掛止し、輪状部１０ｂに第２のハンマーバットスプリング７(2)のフック部７ａ(2)を掛止するとよい。
【００５９】
上記のように、１本の太径ハンマーバットスプリング７を使用した場合でも、２本のハンマーバットスプリング７(1)、７(2)を使用した場合でも、従来の１本のハンマーバットスプリングを使用した場合よりも弾性力が強化され、ジャック２０による次の押し上げ態勢にハンマーバット３を迅速に復帰させることが可能となり、演奏時の同音連打数の増加と、ハーフタッチ（特に、ピアニシモ演奏とダンパー使用時の同音連打性とハーフタッチ）の達成に有益となる。
【００６０】
また、本実施例では、図５（ａ）、（ｂ）に示す潤滑性に優れたハンマーバットスキン２２の素材として、ハンマーバットスキンにコテ当てをして黒鉛を塗布するか、鹿皮より薄厚の合成皮革を使用し、その上に潤滑性に優れたポリウレタン等の合成皮革を使用するとよい。
【００６１】
上記の構成において、図５(ａ)、(ｂ)に示すように、ハンマーバット３は、その前方下部の押上げ面１７に形成された凹部にアンダークロス２２ｂとアンダーフェルト２２ｃが貼着され、ハンマーバットスキン２２はアンダークロス２２ｂとアンダーフェルト２２ｃを覆う状態で傾斜状に貼られた構成となる。従って、アンダークロス２２ｂとアンダーフェルト２２ｃの弾力性によって、ハンマーバットスキン２２に当接したジャック２０の先端のくい込みが良くなり、この食い込み状態でジャック２０が上昇することによって、ハンマーバット３の押し上げ機能が強化され、押鍵時のタッチ感を良好にすることが可能となる。
【００６２】
さらに、ハンマーバットスキン２２の潤滑性によってジャック２０の先端とハンマーバットスキン２２との摩擦抵抗が低減され、ジャックテイル２０ａがレギュレーティングボタン２７ａと接し、ジャック２０の先端が傾斜面に至ったとき、ジャック２０は一挙にハンマーバットスキン２２の傾斜面から滑り出して離脱する。この時、ジャック２０の押し上げ力が急に弱まるため、演奏者は、鍵盤１を押し下げた際の押鍵抵抗から急激に解放されるというタッチ感を得ることとなる。
【００６３】
このようなジャック２０の動作によって、ハンマーバット３の押上げ面１７からの抜けが良くなる結果、ハンマーバット３の動きの反応が良くなるため、ジャック２０による次の押し上げ態勢に迅速に復帰させる戻り速度を向上することが可能となる。これによって、上記のような押鍵時のタッチ感の向上と共に、演奏時の同音連打数の増加と、ハーフタッチ（特に、ピアニシモ演奏とダンパー使用時の同音連打性とハーフタッチ）の達成に有益となる。
【００６４】
また、本実施例では、図６(ｂ)に示すように、ジャック２０のジャックテイル２０ａにおける下方の凸部２０ｂにジャックスプリング２１の上部の細径部２１ａを嵌め込み、ウィペン６の上面の凹部６ｅでジャックスプリング２１の下部の細径部２１ｂを支持するようにしている。このような構成において、ジャックスプリング２１の上部の細径部２１ａをジャックテイル２０ａの凸部２０ｂに嵌め込む上下の位置をずらすことによってジャックスプリング２１の弾性力を調節することが可能である。また、ジャックスプリング２１の巻き数を、従来の例えば１３巻きから１〜２巻き増やすことにより、ジャックスプリング２１の弾性力を増強させることも可能である。
【００６５】
このような構成により、ジャック２０の戻りが迅速になるため、ジャック２０はハンマーバット３の押上げ面１７の下部に速やかに待機した状態となり、同音連打性とハーフタッチの実現にも有益となる。
【００６６】
さらに、本実施例においては、図６（ａ）〜（ｄ）に示すように、ジャックストップレール９の後面に沿って弾性素材の内部に貫通孔１３ａを有する突出部１３ｂを形成した抵抗力及び原状復帰力に係る弾性力の長尺のゴム系のクッション部材１３を付設するようにしている。なお、クッション部材１３における突出部１３ｂの位置は、図６（ａ）に示すように、ジャックストップレール９に沿って上部に設けるほか、図６（ｂ）に示すように、ジャックストップレール９に沿って下部に設けてもよいし、図６（ｃ）に示すように、ジャックストップレール９に沿って中央部に設けるようにしてもよい。
【００６７】
このゴム系のクッション部材１３の素材としては、軽量で良好な弾性力を有するＥＰＤＭ（エチレンプロピレンジエンゴム）を使用するとよい。このクッション部材１３は、図６（ａ）〜(ｃ)に示すように、長尺であって、一端が平坦であり、他端に貫通孔１３ａを有する突起部１３ｂを形成した構成により、抵抗力及び原状復帰力に係る弾性力の発揮に有利な形状としている。このようなクッション部材１３は、従来の木材等で形成したジャックストップレール９の後面に貼り付けるか、又は従来のジャックストップレール９の後面に固定されているジャックストップレールフェルト９ａに貼り付けることによって取り付けることも可能である。
【００６８】
いずれにしても、鍵盤１（図１参照）を最下部まで押し下げた状態でジャック２０がクッション部材１３を約２ｍｍ押し込む程度に調整するとよい。なお、小型のアップライトピアノの場合、スペースの問題で上記のジャックストップレール９を設けずに、レギュレーティングレールで代用する構成がある。この場合もレギュレーティングレールに上記と同様のクッション部材１３を設けることによって同様の効果を得ることが可能となる。
【００６９】
このような構成により、鍵盤１（図１参照）を最下部まで押し下げた状態で、ジャック２０がクッション部材１３を押し下げた後、鍵盤１の押し下げを緩めると、クッション部材１３の抵抗力及び原状復帰力に係る弾性力によってジャック２０がハンマーバット３の押上げ面１７の下部に迅速に戻ることができ、ジャック２０を次の押鍵に備えた状態することが可能となる。これによって、押鍵時におけるアップライトピアノ特有の抜け感を残した状態のタッチ感、特にピアニシモ演奏とダンパー使用時のハーフタッチの達成、さらには連打数の増加に有益となる。
【００７０】
さらに、本実施例において、図２に示すように、既存のアップライトピアノのアクション機構の両端部に立設したアクションブラケット２８の上側部にはダンパーストップレール１６が固定されており、このダンパーストップレール１６の後面に、ダンパーレバー８ａに支持されたダンパーワイヤー１１ｄの動きを規制するダンパーストップレールフェルト１６ａが設けられている。本実施例では、このような構成により、上記のダンパーストップレール１６を利用して、ダンパーストップレール１６の前面に沿って付設したクッション部材１３に打弦時のハンマーシャンク２３ａが当たることによってハンマーシャンク２３ａの動きに抵抗を与えると共に、ハンマーシャンク２３ａの復帰方向への弾性力を付勢することが可能となる。さらに、本実施例では、ダンパーストップレール１６の後面にもクッション部材１３を付設し、ダンパーワイヤー１１ｄがクッション部材１３に当たる（１ｍｍ程度押圧する）ことによって、ダンパーワイヤー１１ｄの復帰方向への弾性力を付勢し、ダンパースプーン１８を経てウィペン６の戻りを付勢するようにしている。
【００７１】
上記の構成において、図４（ａ）及び（ｂ）（これらの図ではアクションブラケット２８は図示を省略してある）に示すダンパーストップレール１６の前面と後面に沿って付設したクッション部材１３は、図６に示すものと同様のクッション部材１３である。従って、このクッション材１３は、弾性素材の内部に貫通孔１３ａを有する突出部１３ｂを形成することによって抵抗力及び原状復帰力に係る弾性力を発揮するようにした長尺のゴム系のクッション部材１３を付設したものである。
【００７２】
また、上記の構成において、ダンパーストップレール１６の後面に上記のクッション部材１３を貼り付けた構成は、具体的には、ダンパーワイヤー１１ｄから離れる距離４ｍｍでダンパーワイヤー１１ｄがクッション部材１３を１ｍｍほど押す範囲に取り付けることにより、ダンパーの戻りを促進し、ウィペン６全体の戻りを補助し、特にピアニシモ、ダンパーペダル使用時での同音連打性、ハーフタッチを促進することが可能となる。
【００７３】
なお、上記の場合もまた、ゴム系のクッション部材１３として、軽量で良好な弾性力を有するＥＰＤＭ（エチレンプロピレンジエンゴム）を使用するとよい。さらに、突出部１３ｂの位置は、図４（ｃ）に示すようにダンパーストップレール１６の前面と後面に沿って中央部に設けるほか、図４（ｄ）に示すようにダンパーストップレール１６の前面と後面に沿って下部に設けてもよいし、図４（ｅ）に示すようにダンパーストップレール１６の前面と後面に沿って上部に設けるようにしてもよい。また、図示は省略してあるが、突出部１３ｂの位置は、ダンパーストップレール１６の前面と後面に沿ってその上部又は下部のいずれかに設けるようにしてもよい。なお、クッション部材１３の取り付け位置は、アフタータッチ感を保有し、且つ打弦を妨げないように取付ける必要がある。
【００７４】
このクッション部材１３において、打弦時のハンマーシャンク２３ａがクッション部材１３に当たった初期の段階（図４（ｆ）参照）では、弱い押圧力でクッション部材１３の貫通孔１３ａを設けた突出部１３ｂを押圧する。また、突出部１３ｂが押圧された後期の状態（突出部１３ｂが潰された状態）では強い弾性力を発揮して鍵盤１の押し下げを弾発するため、従来、アップライトピアノでは再現が困難であったグランドピアノ特有のアフタータッチをアップライトピアノでも再現することが可能となる。
【００７５】
上記の本実施例によるアップライトピアノのアクション機構によれば、ジャック２０の戻り速度に関係する各部を総合的に改良することによって、ジャック２０の戻り速度を迅速にし、かつ運動範囲を押鍵の仕方により自由にコントロールできるという相乗的な改善が可能となる。なお、本件出願の発明者は、本実施例によるアップライトピアノの押鍵試験において、同音連打性、即ち同一の鍵盤１を連打する際の連打性をグランドピアノと同等の１秒に１４回、又はそれ以上にすることが可能であることを確認している。
【００７６】
さらに、押鍵後の同一鍵盤１を再び押し下げる際のハーフタッチ、即ち、グランドピアノと同等のハーフタッチとして、鍵盤１の２分の１又は３分の１の押し下げによって、フォルテやピアニシモのいずれの演奏であっても、同音連打性やハーフタッチが可能となり、その音質もまた、ダイナミックレンジの広がり等が向上するという顕著な音質的効果を奏することが可能となる。
【産業上の利用可能性】
【００７７】
本発明のアップライトピアノのアクション機構は、アップライトピアノにおける鍵盤を連続的に押し下げる際の同音連打性、ピアニシモ演奏、ハーフタッチ演奏、ダンパー使用時における連打性やハーフタッチ等のあらゆる押鍵に対応し、さらにはダイナミックレンジ等に係る音質の改善を実現したアップライトピアノのアクション機構として利用可能である。
【符号の説明】
【００７８】
１  鍵盤
１ａ  白鍵
１ｂ  黒鍵
１ｃ  バックレールクロス
１ｄ  鍵盤座板後
２ａ  フロントブッシングクロス
２ｂ  フロントピン
２ｃ  フロントパンチングクロス
２ｄ  鍵盤筬
３  ハンマーバット
３ａ  ハンマーバットスプリングピンコード
３ｂ  背部
３ｃ  ピン溝
４  鍵盤座板中
４ａ  台座
４ｂ  バランスピン
４ｃ  バランスブッシングクロス
４ｄ  バランスパンチングクロス
５  キャプスタンボタン
５ａ  ポストワイヤー
６  ウィペン
６ａ  ウィペンヒール
６ｂ  ウィペンヒールクロス
６ｃ  ジャックフレンジ
６ｄ  ジャックフレンジセンターピン
６ｅ  凹部
７  ハンマーバットスプリング
７ａ  フック部
７ｂ  巻回部
７ｃ  張出し部
７(1)  第１のハンマーバットスプリング
７(2)  第２のハンマーバットスプリング７
７ａ(1)  フック部
７ａ(2)  フック部
７ｂ(1)  巻回部
７ｂ(2)  巻回部
７ｃ(1)  張出し部
７ｃ(2)  張出し部
８  ダンパーアッセンブリ
８ａ  ダンパーレバー
８ｂ  ダンパーフレンジ
８ｃ  ダンパーフレンジセンターピン
８ｄ  ダンパースプリング
８ｅ  ダンパーレバークロス
９  ジャックストップレール
９ａ  ジャックストップレールフェルト
１０  ハンマーバットフレンジコード
１０ａ  捻じれ部
１０ｂ  輪状部
１１  ダンパーヘッド
１１ａ  ダンパーウッド
１１ｂ  ダンパーブロック
１１ｃ  ダンパーフェルト
１１ｄ  ダンパーワイヤー
１２  押え金具（バットプレート）
１２ａ  固定ネジ（バットプレートスクリュー）
１３  クッション部材
１３ａ  貫通孔
１３ｂ  突出部
１４  センターレール
１４ａ  ウィペンフレンジ
１４ｂ  ウィペンフレンジセンターピン
１５  ハンマーバットフレンジ
１５ａ  ハンマーバットフレンジスクリュー
１５ｂ  ハンマーバットフレンジセンターピン
１５ｃ  取付け溝
１６  ダンパーストップレール
１６ａ  ダンパーストップレールフェルト
１７  押上げ面
１８  ダンパースプーン
１９  弦
２０  ジャック
２０ａ  ジャックテイル
２０ｂ  凸部
２１  ジャックスプリング
２１ａ  細径部
２１ｂ  細径部
２２  ハンマーバットスキン
２２ａ  ハンマーバットフェルト
２２ｂ  アンダークロス
２２ｃ  アンダーフェルト
２３  ハンマー
２３ａ  ハンマーシャンク
２３ｂ  ハンマーウッド
２３ｃ  ハンマーフェルト
２４  キャッチャー
２４ａ  キャッチャーシャンク
２４ｂ  キャッチャースキン
２４ｃ  ブライドルテープ
２４ｄ  ブライドルチップ
２４ｅ  ブライドルワイヤー
２５  バックチェック
２５ａ  バックチェックワイヤー
２５ｂ  バックチェックフェルト
２６  ハンマーレール
２６ａ  ハンマーフェルト
２７  レギュレーティングスクリュー
２７ａ  レギュレーティングボタン
２８  アクションブラケット
２８ａ  アクションボルトナット
２９  ダンパーロッド
【要約】      （修正有）【課題】アップライトピアノにおける鍵盤を連続的に押し下げる際の同音連打性、ピアニシモ演奏、ハーフタッチ演奏、ダンパー使用時における連打性やハーフタッチ等のあらゆる押鍵に対応し、ダイナミックレンジ等に係る音質を改善するアクション機構を提供する。【解決手段】１本のハンマーバットスプリング７のバネ力を強化するか又は２本のハンマーバットスプリング７を使用し、２本のハンマーバットスプリング７を使用する際には、バットフレンジコード１０に捻じれ部を設けることにより、捻じれ部の先の輪状部と捻じれ部とに２本のハンマーバットスプリング７のフック部を掛止し、ハンマーバットスキンの素材として潤滑性に優れた材料を使用する一方、ジャックスプリング２１の弾力を強化し、ジャックストップレール９の後面及びダンパーストップレール１６の前面と後面に沿って弾性素材に貫通孔を設けた突出部を有するゴム系クッション部材１３を付設した。【選択図】図２【図１】
0005757494.tif 000002
【図２】
0005757494.tif 000003
【図３】
0005757494.tif 000004
【図４】
0005757494.tif 000005
【図５】
0005757494.tif 000006
【図６】
0005757494.tif 000007